(57)【特許請求の範囲】
【請求項１】
テレビカメラによって撮影した映像信号を出力するカメラ付きドアホン子機と、映像信号を入力しカメラ付きドアホン子機にて撮影された映像を映し出すテレビ付きインターホン親機及びテレビ付きインターホン副親機と、２線平衡ケーブルにて形成された伝送線路と、を備え、カメラ付きドアホン子機、テレビ付きインターホン親機及びテレビ付きインターホン副親機間の音声信号、映像信号及び制御信号の伝送を、それぞれの信号が互いに影響を与えない周波数帯域に分割し多重化して伝送線路を介して行うテレビドアホンシステムにおいて、
前記テレビ付きインターホン親機及びカメラ付きドアホン子機は、少なくとも映像信号の伝送周波帯域において伝送線路の特性インピーダンスと整合した入力インピーダンスをもった送受端回路を有し、前記テレビ付きインターホン副親機は、伝送線路の特性インピーダンスよりも高い入力インピーダンスを有して、テレビ付きインターホン親機及びカメラ付きドアホン子機の前記送受端回路それぞれによって両端を終端された２線平衡ケーブルである伝送線路上に、テレビ付きインターホン副親機をバス接続したことを特徴とするテレビドアホンシステム。
【請求項２】
前記テレビ付きインターホン親機及びテレビ付きインターホン副親機を、前記カメラ付きドアホン子機からの呼び出しがなされた場合に、テレビ付きインターホン親機及びテレビ付きインターホン副親機のいずれにおいても前記映像を映し出す構成としたことを特徴とする請求項１記載のテレビドアホンシステム。
【請求項３】
前記カメラ付きドアホン子機は、前記テレビ付きインターホン親機及びテレビ付きインターホン副親機間、又は複数設けた前記テレビ付きインターホン副親機間が通話中の場合において、この通話中の音声がカメラ付ドアホン子機から出力されるのを阻止する音声出力阻止手段を有することを特徴とする請求項１又は２記載のテレビドアホンシステム。
【請求項４】
前記テレビ付きインターホン親機及びテレビ付きインターホン副親機を、前記通話中の場合のカメラ付きドアホン子機の呼出操作において、テレビ付きインターホン親機及びテレビ付きインターホン副親機のいずれにおいても前記映像を映し出すようにしたことを特徴とする請求項３記載のテレビドアホンシステム。
【発明の詳細な説明】
【０００１】
【発明の属する技術分野】
本発明は、テレビ付きインターホン親機とカメラ付きドアホン子機とが２線によって接続されたテレビドアホンシステムに関する。
【０００２】
【従来の技術】
カメラ付きドアホン子機（以下、カメラ子機と称する）のテレビカメラによって撮影した映像を、テレビ付きインターホン親機（以下、テレビ親機と称する）のモニターテレビに映し出し、来訪者の映像を確認して通話を行うテレビドアホンシステムにおいて、テレビ親機の設置された場所以外の場所にて来訪者の映像を確認して通話を行うために、図７に示すように、テレビ付きインターホン副親機（以下、テレビ副親機と称する）の増設が可能なテレビドアホンシステムが提案されている。このテレビドアホンシステムにおいては、テレビ親機１００は、２線平衡ケーブルにて形成された伝送線路１０１を介し、カメラ子機１０２に電源を供給している。従って、この伝送線路１０１にて伝送される音声信号と映像信号とには直流が重畳され、さらには制御信号も重畳されている。このテレビ親機１００、カメラ子機１０２間の音声信号、映像信号及び制御信号の信号伝送は、一般に、図８の伝送信号のスペクトルに示すように、それぞれの信号が互いに影響を与えない周波数帯域に分割し多重化する周波数分割多重化伝送方式が用いられている。
【０００３】
一方、テレビ親機１００には、同じく２線平衡ケーブルにて形成された伝送線路１０３によって、テレビ親機の設置された場所以外の場所に設置されたテレビ副親機１０４、１０５が接続され、この伝送線路１０３においても、テレビ親機１００、カメラ子機１０２間の信号伝送と同様、音声信号、映像信号及び制御信号の周波数分割多重化伝送が行われている。
【０００４】
周波数分割多重化伝送方式は、図８の伝送信号のスペクトルからもわかるように、映像信号が高周波で広帯域にわたっている。従って、この周波数分割多重化伝送を行う上記の伝送線路１０１、１０３においては、良好な映像伝送品質を得るために、映像信号帯域のインピーダンス整合を正しく行い、さらに伝送信号の反射波の発生を極力抑えた信号分岐を行うことが重要である。
【０００５】
従って、図７に示す、テレビ親機１００、カメラ子機１０２間の伝送線路１０１は、テレビ親機１００とカメラ子機１０２との接続端回路で、伝送線路１０１を形成する２線平衡ケーブルの特性インピーダンスに等しいインピーダンスをもった終端器が接続されている。また、テレビ親機１００とテレビ副親機１０４、１０５とを結ぶ伝送線路１０３は、テレビ親機１００の内部回路の構成において、前記カメラ子機１０２側の伝送線路１０１とは別の伝送線路１０３を構成するようになっている。そして伝送線路１０３に接続される、親機１００と親機１００から最遠端のテレビ副親機１０５とは、それぞれの内部接続部分の回路構成が伝送線路１０３の特性インピーダンスに等しい入力インピーダンスとなるように構成されている。この親機１００とテレビ副親機１０５とはバス接続されるが、さらにその間にバス接続されるテレビ副親機１０４は、伝送信号への影響を最小限に抑えるために、内部接続部分の回路構成において、伝送線路１０３の特性インピーダンスよりも高い入力インピーダンスもつ回路構成としている。
【０００６】
次に、図９の、テレビ親機１００の回路ブロック、図１０の、カメラ子機１０２の回路ブロック、図１１のテレビ副親機１０４、１０５の回路ブロック、を参照して詳しく説明する。
【０００７】
テレビ親機１００は、図９に示すように、映像部ａと、通話部ｂと、電源部ｃと、制御部ｄと、を有し、カメラ子機を接続するためのカメラ子機回線端子ｅ、ｅと、テレビ副親機を接続するための副親機回線端子ｆ、ｆとがそれぞれ設けられている。
【０００８】
カメラ子機回線端子ｅ、ｅには、カメラ子機回線を平衡伝送線路とするために、高周波の対接地インピーダンスを高くする接地側のコイルＬ２が挿入され、信号側にはコイルＬ１を介して通話部ｂと、電源部ｃと、制御部ｄとが接続され、また高周波トランスＴ１を通して交流的に映像部ａが接続されている。
【０００９】
コイルＬ１は、通話部ｂ、電源部ｃ、制御部ｄが、接続回線系であるカメラ子機回線に対して、高周波的に高いインピーダンスをもって接続されるよう挿入されるものである。従って、カメラ子機回線である伝送線路１０１側からテレビ親機１００を見たときの高周波インピーダンスが、高周波トランスＴ１の入力インピーダンスによって伝送線路１０１の特性インピーダンスと整合される。なお、Ｃ１、Ｃ２は直流阻止用のコンデンサであって、高周波、広帯域の映像信号が通過し得る値に設定されている。
【００１０】
一方、副親機回線端子ｆ、ｆには、副親機回線を平衡伝送線路とするために、高周波の対接地インピーダンスを高くする接地側のコイルＬ４が挿入され、信号側にはコイルＬ３を介して通話部ｂが接続され、また高周波トランスＴ２を通して交流的に映像部ａが接続されている。
【００１１】
コイルＬ３は、通話部ｂが、接続回線系である副親機回線に対して、高周波的に高いインピーダンスをもって接続されるよう挿入されるものである。その結果、副親機回線である伝送線路１０３側からテレビ親機１００を見たときの高周波インピーダンスが、高周波トランスＴ２の入力インピーダンスによって伝送線路１０３の特性インピーダンスと整合される。また副親機回線には、テレビ副親機１０４、１０５間とも通話をおこなうため、この通話制御のための制御信号も多重化する。従って、この通話制御のための制御信号の送信と受信とをおこなう制御コード送受信回路ｇが接続されるが、この制御コード送受信回路ｇは、上記の映像信号の周波数帯域における入力インピーダンスが高いような構成となっている。
【００１２】
カメラ子機１０２は、図１０に示すように、撮像部ｈと、通話部ｉと、受電部ｊと、呼出回路ｋと、を有し、テレビ親機１００と接続するためのカメラ子機回線端子ｌ、ｌが設けられている。
【００１３】
カメラ子機回線端子ｌ、ｌには、カメラ子機回線を平衡伝送線路とするために、高周波的に高いインピーダンスをもって接続されるよう挿入された、コイルＬ５、Ｌ６を介して通話部ｉと、受電部ｊと、呼出回路ｋとが接続され、また高周波トランスＴ３を通して交流的に撮像部ｈが接続されている。従って、カメラ子機回線である伝送線路１０１側からカメラ子機１０２を見たときの高周波インピーダンスが、高周波トランスＴ３の入力インピーダンスによって伝送線路１０１の特性インピーダンスと整合される。
【００１４】
テレビ副親機１０４、１０５は、図１１に示すように、映像部ｍと、通話部ｎと、制御部ｏと、電源部ｐと、終端切替部ｑとを有し、テレビ親機１００と接続するための副親機回線端子ｒ、ｒが設けられている。
【００１５】
副親機回線端子ｒ、ｒには、副親機回線を平衡伝送線路とするために、高周波的に高いインピーダンスをもって接続されるよう挿入された、コイルＬ７、Ｌ８を介して通話部ｎが接続され、また、それぞれの入力端に抵抗Ｒ１、Ｒ２が挿入された高周波トランスＴ４を通して交流的に映像部ｐが接続されている。従って、終端切替部ｑのことを考慮しないときには、副親機回線である伝送線路１０３側からテレビ副親機１０４、１０５を見たときの高周波インピーダンスが、高周波トランスＴ４の入力インピーダンスと、抵抗Ｒ１、Ｒ２の合成抵抗値となるため、伝送線路１０１の特性インピーダンスよりも高い値を示すことになる。なお、副親機回線端子ｒ、ｒには、テレビ親機１００、あるいはテレビ副親機１０４、１０５間において通話をおこなうための、制御信号の送信と受信とをおこなう制御コード送受信回路ｓが接続されるが、この制御コード送受信回路ｓも、上記の映像信号の周波数帯域における入力インピーダンスが高いような構成となっている。
【００１６】
終端切替部ｑは、テレビ副親機を、テレビ親機１００から最遠端に接続するテレビ副親機１０５とする場合と、テレビ親機１００、テレビ副親機１０５間に接続するテレビ副親機１０４とする場合とにおいて、それぞれの場合の入力インピーダンスを変えて設定するためのもので、副親機回線端子ｒ、ｒ間をつなぐように、切替スイッチＳ３、コンデンサＣ３及び抵抗Ｒ３を直列接続して形成され、コンデンサＣ３及び抵抗Ｒ３の直列回路が、伝送線路１０１の特性インピーダンスに整合する値に設定されている。従って、テレビ親機１００から最遠端のテレビ副親機１０５として接続する場合は、切替スイッチＳ３を閉じた状態に設定するものとなる。
【００１７】
以上説明したテレビドアホンシステムは、図７に示す、テレビ親機１００、テレビ副親機１０４または１０５間、あるいはテレビ副親機１０４、１０５間における室内間通話のための伝送線路１０３は、終端切替部ｑの切替スイッチＳ３が閉路されたときには、映像信号の周波数帯域において、テレビ親機１００と、最遠端に接続されたテレビ副親機１０５の終端切替部ｑのコンデンサＣ３及び抵抗Ｒ３によって、伝送線路１０３の特性インピーダンスと整合した値で正しく終端されるとともに、終端切替部ｑの切替スイッチＳ３が開路されて高い入力インピーダンスをもったテレビ副親機１０４がその間に接続される構成をとる。従って、複数のテレビ副親機１０４、１０５、さらにはそれ以上の個数のテレビ副親機が接続される多局構成のシステムにおいても、良好な映像伝送品質を保つことができる。すなわち、テレビ副親機は、図１１に示すように、最遠端に接続するものと、テレビ親機とテレビ副親機との間に接続するものとを、一つの機種にて対応可能とするため、伝送線路の特性インピーダンスよりも高いインピーダンスで接続する場合と、伝送線路の特性インピーダンスに等しいインピーダンスで接続する場合とを切り替えて使用可能な構成とし、例えば、テレビ親機から最遠端に設置するテレビ副親機において、設置時に、切替スイッチＳ３を閉じる側に切り替えて使用する方法をとっていた。
【００１８】
【発明が解決しようとする課題】
ところで、上記したように、テレビ親機１００は、カメラ子機１０２側のカメラ子機回線の伝送線路１０１とテレビ副親機１０４、１０５側の副親機回線の伝送線路１０３とがそれぞれ設けられて、カメラ子機１０２側から送出される映像信号を中継すると共に、テレビ親機１００とカメラ子機１０２間通話、テレビ副親機１０４とカメラ子機１０２間通話及びテレビ親機１００とテレビ副親機１０４、１０５間通話のいずれかを行うための通話路切替回路を搭載するとともに、複雑な回路制御を必要とするものであった。また、テレビ副親機１０４、１０５は、テレビ親機１００とテレビ副親機１０４、１０５間における良好な映像伝送品質を確保するために、テレビ親機１００から最遠端に設置されるテレビ副親機１０５においては伝送線路の特性インピーダンスと整合した値で正しく終端し、またその間に設置されるテレビ副親機１０４は高いインピーダンスで接続するよう、例えばスイッチを切り替えるなどの設定をおこなう必要があった。そして、実際の施工現場においては、この設定が正しく行われないことがあり、映像伝送品質を良好に確保出来ないことがあった。
【００１９】
本発明は、上記事由に鑑みてなしたもので、その目的とするところは、テレビ付きインターホン親機の回路構成を簡単にするとともに、テレビ副親機の設置に際してスイッチの切替などの設定作業が不要で、以て、容易に設置できるテレビドアホンシステムを提供することにある。
【００２０】
【課題を解決するための手段】
上記目的を達成するために、請求項１記載のテレビドアホンシステムは、テレビカメラによって撮影した映像信号を出力するカメラ付きドアホン子機と、映像信号を入力しカメラ付きドアホン子機にて撮影された映像を映し出すテレビ付きインターホン親機及びテレビ付きインターホン副親機と、２線平衡ケーブルにて形成された伝送線路と、を備え、カメラ付きドアホン子機、テレビ付きインターホン親機及びテレビ付きインターホン副親機間の音声信号、映像信号及び制御信号の伝送を、それぞれの信号が互いに影響を与えない周波数帯域に分割し多重化して伝送線路を介して行うテレビドアホンシステムにおいて、
前記テレビ付きインターホン親機及びカメラ付きドアホン子機は、少なくとも映像信号の伝送周波帯域において伝送線路の特性インピーダンスと整合した入力インピーダンスをもった送受端回路を有し、前記テレビ付きインターホン副親機は、伝送線路の特性インピーダンスよりも高い入力インピーダンスを有して、テレビ付きインターホン親機及びカメラ付きドアホン子機の前記送受端回路それぞれによって両端を終端された２線平衡ケーブルである伝送線路上に、テレビ付きインターホン副親機をバス接続したことを特徴とする。これにより、少なくとも映像信号の伝送周波帯域において伝送線路の特性インピーダンスと整合した入力インピーダンスをもった送受端回路を有するテレビ付きインターホン親機及びカメラ付きドアホン子機にてそれぞれ終端された伝送線路上に、伝送線路の特性インピーダンスよりも高い入力インピーダンスを有したテレビ付きインターホン副親機が接続されるものとなる。
【００２１】
また、請求項２記載のテレビドアホンシステムは請求項１記載のテレビ付きインターホン親機及びテレビ付きインターホン副親機を、前記カメラ付きドアホン子機からの呼び出しがなされた場合に、テレビ付きインターホン親機及びテレビ付きインターホン副親機のいずれにおいても前記映像を映し出す映し出す構成としている。これにより、テレビ付きインターホン親機及びテレビ付きインターホン副親機が、カメラ付きドアホン子機からの呼び出しがなされた場合には、テレビ付きインターホン親機及びテレビ付きインターホン副親機のいずれにおいても前記映像を映し出すものとなる。
【００２２】
また、請求項３記載のテレビドアホンシステムは請求項１又は２記載の、カメラ付きドアホン子機は、前記テレビ付きインターホン親機及びテレビ付きインターホン副親機間、又は複数設けた前記テレビ付きインターホン副親機間が通話中の場合において、この通話中の音声がカメラ付ドアホン子機から出力されるのを阻止する音声出力阻止手段を有することとしている。これにより、カメラ付きドアホン子機は、テレビ付きインターホン親機及びテレビ付きインターホン副親機間、又は複数設けた前記テレビ付きインターホン副親機間が通話中の場合、この通話中の音声が出力されるのを阻止する音声出力阻止手段を有するものとなる。
【００２３】
また、請求項４記載のテレビドアホンシステムは請求項３記載のテレビ付きインターホン親機及びテレビ付きインターホン副親機を、前記通話中の場合のカメラ付きドアホン子機の呼出操作において、テレビ付きインターホン親機及びテレビ付きインターホン副親機のいずれにおいても前記映像を映し出すように成している。これにより、テレビ付きインターホン親機及びテレビ付きインターホン副親機が通話中の場合のカメラ付きドアホン子機の呼出操作において、テレビ付きインターホン親機及びテレビ付きインターホン副親機のいずれにおいても前記映像を映し出すものとなる。
【００２４】
【発明の実施の形態】
以下、本発明のテレビドアホンシステムの一実施の形態を図１乃至図６に基づいて説明する。
【００２５】
図１は、本発明のテレビドアホンシステムの接続構成図である。図２は、図１に示すテレビドアホンシステムのカメラ付きドアホン子機のブロック図である。図３は、図２に示すカメラ付きドアホン子機の電圧検出／電源スイッチ回路の一実施の形態である。図４は、図１に示すテレビドアホンシステムのテレビ付きインターホン親機のブロック図である。図５は、図１に示すテレビドアホンシステムのテレビ付きインターホン副親機のブロック図である。図６は、図１に示すテレビドアホンシステムの、室内間通話中にカメラ付きドアホン子機から呼出操作したときの回線電圧波形図である。
【００２６】
このテレビドアホンシステムは、従来例にて説明したものと同様に、テレビカメラによって撮影した映像信号を出力するカメラ子機１と、映像信号を入力しカメラ子機にて撮影された映像を映し出すテレビ親機２と、テレビ副親機３、３と、２線平衡ケーブルにて形成された伝送線路４を備えている。伝送線路４は、テレビ親機２及びカメラ子機１間を２線平衡ケーブルによって接続し、その間にテレビ副親機３、３がバス接続されて構成されている。そして、カメラ子機１、テレビ親機２及びテレビ副親機３、３間の音声信号、映像信号及び制御信号の伝送を、従来の技術の説明の図８に示すように、それぞれの信号が互いに影響を与えない周波数帯域に分割し多重化して伝送線路を介して行う。
【００２７】
カメラ子機１は、例えば玄関などに設置されるもので、図２に示すように、撮像部１１と、後述するテレビ親機２との通話を行う通話部１２と、カメラ子機１の内部回路用電源生成のための受電部１３と、呼出回路１４と、を有し、これらはいずれも端子１５、１５に接続されている。
【００２８】
撮像部１１は、来訪者を撮影し映像信号を出力するもので、撮影した映像信号を出力するテレビカメラをもったカメラ回路１１１と、カメラ回路１１１からの映像信号を例えば所定周波数のＦＭ信号にＦＭ変調する映像変調回路１１２、さらにはＦＭ映像信号を送出するための増幅回路１１３とを有している。
【００２９】
通話部１２は、受話の音声などを出力するスピーカ１２１と、送話音声を入力し電気的な音声信号に変換するマイク１２２と、音声信号を増幅しスピーカ１２１を駆動するためのスピーカアンプ回路１２３と、マイク１２２からの音声信号を増幅するためのマイクアンプ回路１２４と、送話及び受話の音声信号を一対の配線によって伝送するために４線配線を２線配線に変換するためのハイブリッドトランス回路１２５とを有している。
【００３０】
受電部１３は、上記の音声信号や映像信号に影響を与えることなく、後述するテレビ親機２から入力される伝送信号に重畳された直流電源を得るための回路で、端子１５からみた入力インピーダンスを所定の値以上に高くするための受電回路１３１と、電圧検出／電源スイッチ回路１３２と、安定化電源回路１３３と、を有している。
【００３１】
電圧検出／電源スイッチ回路１３２は、テレビ親機２及びテレビ副親機３間、又はテレビ副親機３、３間が通話中の場合において、この通話中の音声がカメラ子機１から出力されるのを阻止する音声出力阻止手段に相当するもので、図３に示すように、受電回路１３１からの電源出力をスイッチするトランジスタスイッチＱ１、受電回路１３１からの出力電圧によりトランジスタスイッチＱ１をオンするためのツェナーダイオードＺＤ及びトランジスタスイッチＱ２を有している。そして、受電回路１３１への入力である端子１５、１５に接続される伝送線路４の回線間の電圧が所定の電圧値よりも低いときは、トランジスタスイッチＱ１をオフして安定化電源１３３をオフにし、カメラ子機１のスピーカアンプ回路１２３、マイクアンプ回路１２４、撮像部１１等の各回路を動作停止状態とし、通話中の音声がカメラ子機１から出力されるのを阻止してカメラ子機１を待機状態とする。なお、伝送線路４の回線間の電圧値が上記ツェナー電圧よりも高くなると、この電圧検出／電源スイッチ回路１３２の働きにより、安定化電源１３３をオン状態としてカメラ子機１の映像、通話の機能をオン状態とする。
【００３２】
また、端子１５、１５には、映像信号の伝送周波帯域において伝送線路４の特性インピーダンスと整合した入力インピーダンスをもった送受端回路を構成するコイルＬ５、Ｌ６、高周波トランスＴ３が設けられている。具体的には、端子１５、１５には、伝送線路４を平衡伝送線路とするために、高周波的に高いインピーダンスをもって接続されるよう挿入された、コイルＬ５、Ｌ６を介して通話部１２と、受電部１３と、呼出回路１４とが接続され、また、伝送線路４の特性インピーダンスと整合した入力インピーダンスをもった高周波トランスＴ３を通して交流的に撮像部１１が接続されている。従って、伝送線路４側からカメラ子機１を見たときの高周波インピーダンスが、映像信号の伝送周波帯域において伝送線路の特性インピーダンスと整合した入力インピーダンスをもった高周波トランスＴ３によって決まり、伝送線路４の特性インピーダンスと整合される。
【００３３】
テレビ親機２は、例えば台所など住宅の居室内に設置されるもので、図４に示すように、映像部２１と、カメラ子機１あるいはテレビ副親機３、３との通話を行う通話部２２と、電源部２３と、カメラ子機１からの呼出を検出したり、テレビ副親機３、３との通信制御を行う制御部２４と、を有し、これらはいずれも端子２５、２５に接続されている。
【００３４】
映像部２１は、映像信号を入力して映像を映し出すもので、カメラ子機１にて撮影された映像を映し出すテレビモニタをもったテレビ回路２１１と、カメラ子機１から伝送されたＦＭ変調された映像信号を所定の信号レベルに増幅し復調する映像信号復調回路２１２とを有している。
【００３５】
通話部２２は、受話の音声などを出力するスピーカ、及び送話音声を入力し電気的な音声信号に変換するマイクを有しているハンドセット２２１と、音声信号を増幅しハンドセット２２１のスピーカを駆動するためのスピーカアンプ回路２２２と、ハンドセット２２１のマイクからの音声信号を増幅するためのマイクアンプ回路２２３と、一対の配線によって伝送されて入力された送話及び受話の音声信号を２線配線を４線配線に変換する４線２線変換回路２２４とを有している。
【００３６】
電源部２３は、テレビ親機２の内部回路用の電源生成を行う電源回路２３１と、カメラ子機１に向けての電源生成のための給電回路２３２とを有している。
【００３７】
制御部２４は、テレビ親機２の各回路の動作制御を行うマイコン（以下、マイコンと称する）２４１と、カメラ子機１からの呼出を伝送線路４の電源電圧変化によって検出するための呼出検出回路２４２と、テレビ副親機３との間で制御コードを送受信し、室内間通話の開始や終了などの通信制御コードの送受信を行う制御コード送受信回路２４３とを有する。すなわち、この制御部２４は、例えばワンチップマイクロコンピュータ（以下、マイコンと称する）２４１を主体に構成されており、マイコン２４１の内部の記憶部に制御部２４による所定の動作手順を規定するプログラムや、制御部２４によって処理されうるデータを記憶する。
【００３８】
マイコン２４１は、伝送線路４の回線間の電圧を検知している、呼出検出回路２４２からの入力状態を常時監視している。そして、伝送線路４の回線間の電圧値が、所定の電圧変動に比べて大きな電圧変化が一定時間持続して生じたときをもって、カメラ子機１の呼出スイッチＳＷが操作されて呼び出されたことを検出する。また、このマイコン２４１は、給電回路２３２への電圧切替制御信号２４４によって伝送線路４の回線間の電圧値を所定の待機時電圧値にする機能をもっており、カメラ子機１を待機状態におくときは、カメラ子機１への給電制御をおこなう。
【００３９】
また、端子２５、２５には、映像信号の伝送周波帯域において伝送線路４の特性インピーダンスと整合した入力インピーダンスをもった送受端回路を構成するコイルＬ１、Ｌ２、高周波トランスＴ１が設けられている。具体的には、コイルＬ１は、通話部２２、電源部２３、制御部２４が、接続回線系である伝送線路４に対して、高周波的に高いインピーダンスをもって接続されるよう挿入されたものである。従って、伝送線路４側からテレビ親機２を見たときの高周波インピーダンスが、高周波トランスＴ１によって決まり、伝送線路４の特性インピーダンスと整合される。なお、Ｃ１、Ｃ２は直流阻止用のコンデンサであって、高周波、広帯域の映像信号が通過し得る値に設定されている。
【００４０】
テレビ副親機３は、例えば住宅の２階などの居室内に設置されるもので、図５に示すように、映像部３１と、カメラ子機１あるいはテレビ親機２や他のテレビ副親機３との通話を行う通話部３２と、カメラ子機１からの呼出を検出したりテレビ親機２や他のテレビ副親機３との通信制御を行う制御部３４と、を有し、これらはいずれも端子３５、３５に接続されている。
【００４１】
映像部３１は、映像信号を入力して映像を映し出すもので、カメラ子機１にて撮影された映像を映し出すテレビモニタを有するテレビ回路３１１と、カメラ子機１から伝送されたＦＭ変調された映像信号を所定の信号レベルに増幅し復調する映像信号復調回路３１２とを有している。
【００４２】
通話部３２は、受話の音声などを出力するスピーカ及び送話音声を入力し電気的な音声信号に変換するマイクを有しているハンドセット３２１と、音声信号を増幅しハンドセット３２１のスピーカを駆動するためのスピーカアンプ回路３２２と、ハンドセット３２１のマイクからの音声信号を増幅するためのマイクアンプ回路３２３と、一対の配線によって伝送されて入力された送話及び受話の音声信号を２線配線を４線配線に変換する４線２線変換回路３２４とを有している。
【００４３】
電源回路３３１は、テレビ副親機３の内部回路用の電源生成を行う。
【００４４】
制御部３４は、テレビ副親機３の各回路の動作制御を行うとともに、カメラ子機１からの呼出を検出したり、テレビ親機や他のテレビ副親機との間で制御コードを送受信し、室内間通話の開始や終了の通信制御を行う。この制御部３４は、例えばマイコン３４１を主体に構成されており、その内部の記憶部に制御部による所定の動作手順を規定するプログラムや、制御部３４によって処理されうるデータを記憶する。このマイコン３４１には、カメラ子機１の呼出スイッチＳＷが操作されて呼び出されたことを、伝送線路４の回線間の電圧値によって検出するための呼出検出回路３４２からの出力が入力される。そして、テレビ副親機３は、、カメラ子機１の呼出スイッチＳＷが操作されて呼び出されたときに、前記テレビ親機２とともにカメラ子機１にて撮影された映像を映し出す。
【００４５】
また、端子３５、３５には、副親機回線を平衡伝送線路とするために、高周波的に高いインピーダンスをもって接続されるよう挿入された、コイルＬ７を介して通話部３２が接続されるとともに、高周波の対接地インピーダンスを高くする接地側のコイルＬ８が挿入されている。そして、それぞれの入力端に抵抗Ｒ１、Ｒ２が挿入された高周波トランスＴ４を通して交流的に映像部３１が接続されている。従って、伝送線路４側からテレビ副親機３を見たときの高周波インピーダンスが、高周波トランスＴ４の入力インピーダンスと、抵抗Ｒ１、Ｒ２の合成抵抗値となるが、抵抗Ｒ１、Ｒ２は、伝送線路４の特性インピーダンスよりも高い入力インピーダンスとなるように設定されている。
【００４６】
次に、電圧切替制御信号２４４による、テレビ親機２及びテレビ副親機３間、又はテレビ副親機３、３間の室内間通話中の場合の、カメラ子機１の呼出操作において、テレビ親機２及びテレビ副親機３のいずれにおいても映像を映し出す処理について説明する。
【００４７】
図６に示す、室内間通話時の、カメラ子機１からの呼出に際しての回線電圧波形において、室内間通話時は、テレビ親機２の給電制御により伝送線路４の回線間の電圧値は直流的に待機状態の電圧値（たとえば６Ｖ）にあり、この電圧に室内間通話の音声信号が重畳している。この室内間通話中における、ｔ０に示すタイミングでカメラ子機１の呼出スイッチＳＷが操作されると、伝送線路４の回線間の電圧値は急激に低下して所定の呼出電圧以下となる。
【００４８】
テレビ親機２とテレビ副親機３のマイコン２４１、３４１は、それぞれ呼出検出回路２４２、３４２にて、伝送線路４の回線間の電圧値を監視している。そして、所定の呼出電圧値Ｖｃ以下となったことを所定時間だけ監視して呼出を検知するタイミングｔ２よりも早い、単に電圧が所定の値よりも降下しただけのｔ１のタイミングにて、直ちにそれぞれ内部のスピーカアンプ回路２２２、３２２、及びマイクアンプ回路２２３、３２３を動作停止状態とし、呼出信号による大きな電圧変化に伴う音声雑音の発生を最小限に抑える処理を行う。
【００４９】
次いで、テレビ親機２のマイコン２４１は、所定時間後のｔ２のタイミングで呼出検出の確定をすると、テレビ親機２及びテレビ副親機３のいずれにおいても映像を映し出すために、電圧切替制御信号２４４を出力して給電回路２３２の制御を行い、給電電圧を立ち上げて伝送線路４の回線間の電圧値を上昇させ、カメラ子機１を動作状態に移行させると共に、テレビ親機２内部の各回路に対しても、映像受信の動作状態に移行する制御を行う。
【００５０】
なお、テレビ親機２は、図示していない呼出報知信号を出力する呼出報知音生成回路を有しており、上記の映像受信の動作状態に移行するとき、マイコン２４１からの制御にて、呼出報知音をテレビ親機２のハンドセット２２１のスピーカから出力させると共に、カメラ子機１及びテレビ副親機３、３への音声信号として送出する。すると、伝送線路４の回線間の電圧値が上昇して電圧検出／電源スイッチ回路１３２にて安定化電源１３３をオン状態として、スピーカ１２１及びスピーカアンプ回路１２３の動作が可能となったカメラ子機１からも、呼出報知音がバックトーンとして出力される。
【００５１】
また、テレビ副親機３、３側においては、テレビ親機２と同様に、ほぼｔ２のタイミングでカメラ子機１からの呼出検出の確定をし、テレビ副親機３内部の各回路に対しても、映像受信の動作状態に移行する制御を行う。従って、テレビ親機２と同様に、呼出報知音がテレビ副親機３のハンドセット３２１のスピーカからも呼出報知音が出力され、上記のテレビ親機２とともにテレビ副親機３においても前記映像を映し出すことができる。
【００５２】
従って、室内間通話時にあっても、テレビ親機２とテレビ副親機３のいずれにおいても、カメラ子機１からの呼出を検知し、直ちに撮像動作と映像受信動作へ移行することにて、チャイム音などのバックトーンによる呼出報知音応答の即答性も確保できる。
【００５３】
以上説明したテレビドアホンシステムは、図１に示すように、テレビ親機２及びカメラ子機１が接続されてそれぞれ終端された伝送線路４上にテレビ副親機３、３が接続されて構成される。すなわち、上記した回路構成において、テレビ親機２は、映像部２１の映像信号の周波数帯域に対する入力インピーダンスが伝送線路４の特性インピーダンスに等しい値であり、また端子２５、２５に接続される他の回路はこのインピーダンスに比して高い値で構成されている。また、カメラ子機１は、撮像部１１の出力インピーダンスが、伝送線路４の特性インピーダンスに等しい値であり、端子１５に接続されている他の回路は、これに比して高いインピーダンスをもって構成されている。さらに、テレビ副親機３、３は、端子３５に接続される映像部３１及び他の回路の、映像信号帯域入力インピーダンスが伝送線路の特性インピーダンスに比して高い値で構成されている。その結果、伝送線路４においては、テレビ親機２と、カメラ子機１との両端において終端されている伝送線路４間に接続されたテレビ副親機３、３が、伝送線路４の映像信号に与える影響は低く抑えられて、同時に複数のテレビモニタで、映像伝送品質を良好に確保し映像を映し出すことが可能となる。
【００５４】
上記の構成において、テレビ親機２は、制御部２４のマイコン動作プログラムによって、通常時は、カメラ子機１のスピーカアンプ回路１２３とマイクアンプ回路１２４とを動作停止状態としている。そして、来訪者によってカメラ子機１の呼出スイッチＳＷが操作されて呼び出されると、制御部２４は、伝送線路４の回線間の電圧を所定の通話状態とする電圧値とし、カメラ子機１の電圧検出／電源スイッチ回路１３２にて安定化電源１３３をオン状態として居住者は来訪者の映像を確認して通話を行う。このとき、テレビ副親機３の制御部３４も映像部３１を動作させて来訪者の映像を映し出す。そして、通話が終了すると、カメラ子機１を待機状態とするために、電圧切替制御信号２４４を給電回路２３２へ出力し、伝送線路４の回線間の電圧値を所定の待機時電圧値にする。
【００５５】
一方、カメラ子機１は、テレビ親機２及びテレビ副親機３間、又は複数設けた前記テレビ副親機３、３間が通話中の場合、この通話中の音声が出力されるのを阻止する電圧検出／電源スイッチ回路１３２を有しているので、テレビ親機２からの給電制御によりカメラ子機１が待機状態にあるときにはカメラ子機１の通話部１２は動作停止状態となり、このとき、テレビ親機２やテレビ副親機３、３間にて室内間通話を行っても、カメラ子機１から通話中の音声がカメラ子機１から出力されるのが阻止されて、通話妨害を受けたり、通話内容が戸外に漏れるということがない。
【００５６】
以上説明したテレビドアホンシステムによると、少なくとも映像信号の伝送周波帯域において伝送線路４の特性インピーダンスと整合した入力インピーダンスをもった送受端回路を有するテレビ親機２及びカメラ子機１にてそれぞれ終端された伝送線路４上に、伝送線路４の特性インピーダンスよりも高い入力インピーダンスを有したテレビ副親機３、３が接続されるものとなるので、テレビ親機２の回路構成が簡単になるとともに、テレビ副親機３、３の設置に際して従来例にて示したスイッチの切替などの設定作業が不要で、以て、容易に設置できる。また、テレビ親機２及びテレビ副親機３がカメラ子機１からの呼び出しがなされた場合には、テレビ親機２及びテレビ副親機３のいずれにおいてもカメラ子機１による映像を映し出すものとなるので、テレビ親機２とテレビ副親機３のいずれにおいても、同時に複数の室内から映像確認をした上での来客応答が行える。また、カメラ子機１は、テレビ親機２及びテレビ副親機３間、又は複数設けた前記テレビ副親機３、３間が通話中の場合、室内間で通話中の音声が出力されるのを阻止する電圧検出／電源スイッチ回路１３２を有するものとなるので、カメラ子機１から通話中の音声がカメラ子機１から出力されるのが阻止されて、通話妨害を受けたり、通話内容が戸外に漏れるということがない。また、テレビ親機２及びテレビ副親機３が通話中の場合のカメラ子機１の呼出操作において、テレビ親機２及びテレビ副親機３のいずれにおいてもカメラ子機１による映像を映し出すものとなるので、来訪者による呼出操作に対して機敏に対応出来る。
【００５７】
【発明の効果】
請求項１記載のテレビドアホンシステムは、少なくとも映像信号の伝送周波帯域において伝送線路の特性インピーダンスと整合した入力インピーダンスをもった送受端回路を有するテレビ付きインターホン親機及びカメラ付きドアホン子機にてそれぞれ終端された伝送線路上に、伝送線路の特性インピーダンスよりも高い入力インピーダンスを有したテレビ付きインターホン副親機が接続されるものとなるので、テレビ付きインターホン親機の回路構成が簡単になるとともに、例えばテレビ付きインターホン副親機の設置に際してスイッチの切替などの設定作業が不要で、以て、容易に設置できる。
【００５８】
また、請求項２記載のテレビドアホンシステムは、請求項１記載のものの効果に加え、テレビ付きインターホン親機及びテレビ付きインターホン副親機がカメラ付きドアホン子機からの呼び出しがなされた場合には、テレビ付きインターホン親機及びテレビ付きインターホン副親機のいずれにおいても前記映像を映し出すものとなるので、テレビ付きインターホン親機とテレビ付きインターホン副親機のいずれにおいても、同時に複数の室内から映像確認をした上での来客応答が行える。
【００５９】
また、請求項３記載のテレビドアホンシステムは、請求項１又は２記載のものの効果に加え、カメラ付きドアホン子機は、テレビ付きインターホン親機及びテレビ付きインターホン副親機間、又は複数設けた前記テレビ付きインターホン副親機間が通話中の場合、この通話中の音声が出力されるのを阻止する音声出力阻止手段を有するものとなるので、室内間で通話中の音声がカメラ付きドアホン子機から出力されるのが阻止されて、通話妨害を受けたり、通話内容が戸外に漏れるということがない。
【００６０】
また、請求項４記載のテレビドアホンシステムは、請求項３記載のものの効果に加え、テレビ付きインターホン親機及びテレビ付きインターホン副親機が通話中の場合のカメラ付きドアホン子機の呼出操作において、テレビ付きインターホン親機及びテレビ付きインターホン副親機のいずれにおいても前記映像を映し出すものとなるので、来訪者による呼出操作に対して機敏に対応出来る。
【図面の簡単な説明】
【図１】本発明のテレビドアホンシステムの接続構成図である。
【図２】図１に示すテレビドアホンシステムのカメラ付きドアホン子機のブロック図である。
【図３】図２に示すカメラ付きドアホン子機の電圧検出／電源スイッチ回路の一実施の形態である。
【図４】図１に示すテレビドアホンシステムのテレビ付きインターホン親機のブロック図である。
【図５】図１に示すテレビドアホンシステムのテレビ付きインターホン副親機のブロック図である。
【図６】図１に示すテレビドアホンシステムの、室内間通話中にカメラ付きドアホン子機から呼出操作したときの回線電圧波形図である。
【図７】従来例のテレビドアホンシステムの接続構成図である。
【図８】従来例のテレビドアホンシステムの伝送信号のスペクトルである。
【図９】従来例のテレビドアホンシステムのテレビ付きインターホン親機のブロック図である。
【図１０】従来例のテレビドアホンシステムのカメラ付きドアホン子機のブロック図である。
【図１１】従来例のテレビドアホンシステムのテレビ付きインターホン副親機のブロック図である。
【符号の説明】
１  カメラ付きドアホン子機（カメラ子機）
１３２  電圧検出／電源スイッチ回路（音声出力阻止手段）
２    テレビ付きインターホン親機（テレビ親機）
３    テレビ付きインターホン副親機（テレビ副親機）
４    伝送線路
【図１】
0003721707.tif 000002
【図２】
0003721707.tif 000003
【図３】
0003721707.tif 000004
【図４】
0003721707.tif 000005
【図５】
0003721707.tif 000006
【図６】
0003721707.tif 000007
【図７】
0003721707.tif 000008
【図８】
0003721707.tif 000009
【図９】
0003721707.tif 000010
【図１０】
0003721707.tif 000011
【図１１】
0003721707.tif 000012